(57)【要約】      （修正有）【課題】菜園や花壇の中に自生する雑草を除草する際の人の手の働きの過程から学んで考案した雑草はさみ引き抜き具の提供。【解決手段】形態や働きの異なる３様のはさみ部から構成されるはさみ具を対設し、タイコ止め等の枢着部を介して長尺アーチ柄に連結した雑草はさみ引き抜き具である。除草作業時の人の手の働きにおいて、クワを持つ手と、雑草を引き抜くもう片方の手の働きを一つの具によって行なう事により、手を汚さずに片手で除草が行なえる。又、手元より先の手の届かない場所に自生する雑草を菜園や花壇の中に踏み込まずに引き抜く事が可能となる事により土を硬くせずにすみ、又加えて狭い敷地の中に菜園や花壇を作る際あぜ道の本数を少なくして菜園や花壇を広く作る事も可能となる。【選択図】図１
0003126362.tif 000002
【実用新案登録請求の範囲】
【請求項１】
一端側に上部位板カマボコ型はさみ部、中部位コの字型はさみ部、下部位複数Ｌ字型クワ刃はさみ部、とそれぞれ形態や働きの異なる３様のはさみ部により構成されるはさみ具を対設し、タイコ止め等の枢着部を介して対設する長尺アーチ柄に連結する。柄には開閉を調節するためにスプリングを設ける。以上を特徴とした雑草はさみ引き抜き具である。
【請求項２】
請求項１に記載の雑草はさみ引き抜き具であって、上部位板カマボコ型はさみ部を成す板のはさみ合う面には、クッション又は滑り止め部材としてのゴムが付着されており、板カマボコを横にしたような形態である。また、中部位はさみ部を成すコの字型はさみ部は上部位はさみ部板の底辺面より連続して設ける。このコの字型はさみ部の挟み合う面は、ゆるやかにカーブしているが対を成す左右のはさみ面はその縦の尺と角度がそれぞれ異なるゆえに挟み合った時、その縁は噛み合うことがなく、上下に接近する。又地中に差し込まれる為その縁は薄く、刃になっている。以上を特徴とした雑草はさみ引き抜き具である。
【請求項３】
請求項１、または２に記載の雑草はさみ引き抜き具であって、これは上部位板カマボコ型はさみ部板の底辺面より連続して設けた下部位はさみ部を成す複数のＬ字型クワ刃であり、そのはさみ合うクワ刃同士の刃先ははさみ合う時交差する。以上を特徴とする雑草はさみ引き抜き具である。
【請求項４】
請求項１、２または３に記載の雑草はさみ引き抜き具であって、上部位板カマボコ型はさみ部と中部位コの字型はさみ部、そして下部位複数Ｌ字型クワ刃はさみ部により構成される事を特徴とする雑草はさみ引き抜き具である。
【請求項５】
請求項１に記載の雑草はさみ引き抜き具であって、一端側の対設したはさみ具にタイコ止め等の枢着部を介して連結された対設する長尺アーチ柄である。柄の開閉はスプリングにより調節する。
【考案の詳細な説明】
【技術分野】
【０００１】本考案は一端側に設けられた形態や働きの異なる３様のはさみ部、上部位板カマボコ型はさみ部、中部位コの字型はさみ部、下部位複数Ｌ字型クワ刃はさみ部、によって構成されるはさみ具を対設し、このはさみ具をタイコ止め等の枢着部を介して対設する長尺アーチ柄に連結した雑草はさみ引き抜き具に関する。
【背景技術】
【０００２】雑草を引き抜く作業においては一方の手で持ったクワを雑草の根元下近傍に差し込み、掘り起こしつつ、もう片方の手で雑草の根元をつかみ引き抜く事。又手元より先の手が届かない場所に自生している雑草を引き抜く際には菜園や花壇の中に踏み込んで土を硬くしてしまう事、或いはそれを避ける為に菜園や花壇を狭くしあぜ道の本数やむなく多くしなければならないといった事が知られている。
【考案の開示】
【考案が解決しようとする課題】
【０００３】しかしながら雑草の根元は地中に幾分埋もれている為それを挟み抜く指が汚れてしまう。また根についた土を払い落とすときも同様である。さらに、菜園や花壇において手元より先の手の届かない場所に自生する雑草を引き抜くためにはやむなく菜園や花壇の中に踏み込んでいかなければならないがそれによって土を硬くしてしまう事は大きな問題である。加えてこれらの作業は片手の不自由な方にとっては困難な作業である。
【課題を解決するための手段】
【０００４】本考案は一端側に形態や働きの異なる３様のはさみ部によって構成されるはさみ具を対設し、タイコ止め等の枢着部を介して対設する長尺アーチ柄に連結したものである。柄の開閉はスプリングにより調節する。前記３様のはさみ部は、はさみ具の上部位、中部位、下部位に位置し、掘り起こし、はさみ、引き抜く作業を共同して行なう。上部位はさみ部板のはさみ合う面にはクッション又、滑り止め部材としてのゴムが付着されており、その形態は板カマボコを横にしたようなものである。中部位はさみ部は前記上部位はさみ部板の底辺面より連続してもうけたコの字型はさみ部であり、はさみ合う面はゆるやかにカーブしているが、対を成す左右はさみ面のその縦の尺とカーブする角度がそれぞれ異なるのでその縁は噛み合うことがなく上下に接近する。下部位はさみ部は前記上部位はさみ部板の底辺面より連続して設けた複数のＬ字型クワ刃である。以上、３様のはさみ部で構成されるはさみ具により、片手で掘り起こし、はさみ、引き抜くことが可能となり、又対設する長尺アーチ柄に連結することによって菜園や花壇の中などに踏み込まずに手元より先の手の届かない場所にある雑草を引き抜く事が可能となる、よって上記問題を解決するものである。
【考案の形態】
【０００５】図１に示すように、上部位はさみ部１は、板２にクッション又、滑り止め部材のゴム３を付着した、板カマボコを横にしたような形態であり、雑草の茎や根元をはさむ。タイコ止め等の枢着部４を介して対設する長尺ア−チ柄に連結する。
【０００６】図２に示すように、内側にゆるくカーブした中部位コの字型はさみ部５を上部位はさみ部板の底辺面より連続して設ける。コの字型はさみ部５のはさみ面６は地中に差し込まれるためその縁は薄い刃７になっている。
【０００７】図３に示すように、コの字型はさみ部５の側面図であるが、対を成す左右のはさみ面はそれぞれの縦の尺８とそのカーブの角度９が異なるのでその縁は噛み合わず上下に接近する。よって雑草の根を切断することがない。
【０００８】図４に示すように、コの字型はさみ部５のはさみ面６は地下に数ミリから数センチ差し込まれてから、挟み合うにつれその挟み面により土と共に雑草の根元も地上に押し上げられる１０。又上部位はさみ部はさみ板の底辺面は地面に対してストッパ−１１となる。
【０００９】図５に示すように、上部位はさみ部はさみ板底辺面より連続してもうけた複数Ｌ字型クワ刃はさみ部１２である。このクワ刃は一番先に地面に差し込まれて雑草の根の周りの土を数箇所にわたって切断するので、中部位コの字型はさみ面６が地中で進行しやすくなる。又クワ刃は、はさみ合うとき刃先が互いに交差し、その状態で地中から地上へ引き上げられるので雑草の根の下方の土も切断され雑草の根が地中から抜け出やすくなる。
【００１０】図６に示すように、下部位複数Ｌ字型クワ刃の拡大図であるが、地中で進行しやすいように刃の内側と刃の底辺の縁は薄い刃１３になっている。
【００１１】図７に示すように、雑草を挟み引き抜いたらはさみ具を石などに当てて土を払い落とす。
【００１２】図８に示すように下部位複数Ｌ字型クワ刃はさみ部１２は地上においても使用可能である。クワ刃を雑草の根元近くに差し込み、挟んでから刃先を地中で前後に動かし雑草の根の周りの土を根から切り離して挟み抜く事が可能である。
【００１３】図９に示すように３様のはさみ部で構成される対設するはさみ具をタイコ止め等の枢着部４を介して対設する長尺ア−チ柄１４に連結した雑草はさみ引き抜き具の全体図１５である。柄の開閉はスプリング１６により調節する。この３様のはさみ部から構成されるはさみ具は短尺柄に連結することも可能である。
【００１４】図１０に示すように長尺ア−チ柄に連結された３様のはさみ部から成るはさみ具により菜園や花壇において手前の野菜や花を避けて手元より先の雑草を片手で引き抜く事が可能になる。
【００１５】上記工程により完成した雑草はさみ引き抜き具は、先に下部位複数Ｌ字型クワ刃はさみ部が地面に差し込まれて、雑草の根のまわりの土を数箇所にわたり切断するので、中部位コの字型はさみ部のゆるくカーブしたはさみ面が地中で進行しやすくなる。そして、進行するとき幾分かの土がもちあげられるので雑草の根元が地上に押し上げられ上部位板カマボコ型ゴムはさみ面により挟まれる。また、地下の雑草の根の周りの土が数箇所にわたり切断されている事により土から雑草の根が抜け出やすくなっている。このようにして人がクワを用いて土を掘り起こし雑草の根元などを指で挟んで引き抜く両手による除草作業を一つの具により片手で行なう事を可能にした雑草はさみ引き抜き具である。
【考案の効果】
【００１６】本考案に関わる雑草はさみ引き抜き具は、菜園や花壇の中に自生する雑草の除草作業時における、掘り起こし、はさみ、引き抜くといった人の手の働きから学んで考案したものであり、この三つの働きを一つの除草具によって行なえるようにする事により、片手で雑草を引き抜くことを可能にした具である。また、手元より先の手の届かない場所の雑草を菜園や花壇の中に踏み込まないで引き抜きたいという願いも満たす除草具なので、実用性にもすぐれたものである。
【図面の簡単な説明】
【００１７】
【図１】本考案に関わる雑草はさみ引き抜き具の一部を構成する上部位板カマボコ型はさみ部である。
【図２】本考案に関わる雑草はさみ引き抜き具の一部を構成する上部位板カマボコ型はさみ部と中部位コの字型はさみ部である。
【図３】本考案に関わる雑草はさみ引き抜き具の一部をなす上部位板カマボコ型はさみ部と中部位コの字型はさみ部の側面図である。
【図４】本考案に関わる雑草はさみ引き抜き具の一部を成す上部位板カマボコ型はさみ部と中部位コの字型はさみ部が挟み合った時はさみ面によって土と共に雑草の根元が地上におしあげられた時の側面から見た様子である。
【図５】本考案に関わる雑草はさみ引き抜き具の一端側を成すはさみ具における上部位板カマボコ型はさみ部、中部位コの字型はさみ部、そして下部位複数Ｌ字型クワ刃はさみ部である。
【図６】本考案に関わる雑草はさみ引き抜き具の下部位複数Ｌ字型クワ刃の拡大図である。
【図７】本考案に関わる雑草はさみ引き抜き具によって雑草を挟み引き抜いた後はさみ具を石等に当てて土を払いおとす様子である。
【図８】本考案に関わる雑草挟み引き抜き具の一部を構成する複数のＬ字型クワ刃はさみ部の地上での除草作業図。
【図９】本考案に関わる雑草はさみ具を対設した長尺アーチ柄に連結した雑草はさみ引き抜き具の全体図。
【図１０】本考案に関わる雑草はさみ引き抜き具を菜園において使用中の図である。
【符号の説明】
【００１８】１・・・上部位板カマボコ型はさみ部
２・・・上部位板カマボコ型はさみ部はさみ板
３・・・上部位板カマボコ型はさみ部ゴムはさみ面
４・・・枢着部
５・・・中部位コの字型はさみ部
６・・・中部位コの字型はさみ部はさみ面
７・・・中部位コの字型はさみ部はさみ面の縁
８・・・中部位コの字型はさみ部はさみ面の縦の尺
９・・・中部位コの字型はさみ部はさみ面の角度
１０・・中部位はさみ部はさみ面により地上に押し上げられた雑草の根元
１１・・上部位はさみ部はさみ面の底辺面は地面に対しストッパ−の役割をする
１２・・下部位複数Ｌ字型クワ刃はさみ部
１３・・下部位複数Ｌ字型クワ刃はさみ部のクワ刃の拡大図
１４・・長尺ア−チ柄
１５・・長尺ア−チ柄雑草はさみ引き抜き具全体図
１６・・スプリング
【図１】
0003126362.tif 000003
【図２】
0003126362.tif 000004
【図３】
0003126362.tif 000005
【図４】
0003126362.tif 000006
【図５】
0003126362.tif 000007
【図６】
0003126362.tif 000008
【図７】
0003126362.tif 000009
【図８】
0003126362.tif 000010
【図９】
0003126362.tif 000011
【図１０】
0003126362.tif 000012
【手続補正書】
【提出日】平成18年7月26日(2006.7.26)
【手続補正１】
【補正対象書類名】実用新案登録請求の範囲
【補正対象項目名】全文
【補正方法】変更
【補正の内容】
【実用新案登録請求の範囲】
【請求項１】
一端側の上部位板カマボコ型はさみ部、中部位コの字型はさみ部、下部位複数Ｌ字型クワ刃はさみ部、とそれぞれ形態や働きの異なる３様のはさみ部により構成される対設するはさみ具をタイコ止め等の枢着部を介して、開閉を調節するためのスプリング等を有した、対設する長尺アーチ柄に連結した雑草はさみ引き抜き具である。
【請求項２】
請求項１に記載の雑草はさみ引き抜き具であって、上部位板カマボコ型はさみ部を成す板のはさみ合う面は、クッションまたは滑り止め部材としてのゴムを付着させた板カマボコを横にしたような形状を有し、また上部位板カマボコ型はさみ部板の底辺面より連続して設けられた中部位はさみ部を成すコの字型はさみ部は地中に差し込まれるためその縁は薄く、刃になっており、又そのはさみ合う面は内側にむかって緩やかにカーブしているが向き合うはさみ面のそれぞれのカ−ブの角度が異なりまたその縦の尺も異なるので挟みあった時それら二つの縁は噛み合うことがなく、上下に接近するという構造を有する雑草はさみ引く抜き具である。
【請求項３】
請求項１、または２に記載の雑草はさみ引き抜き具であって、これは上部位板カマボコ型はさみ部板の底辺面より連続して設けた対設する下部位はさみ部を成す複数のＬ字型クワ刃であり、そのはさみ合うクワ刃同士の刃先ははさみ合う時交差するという構造を有する雑草はさみ引き抜き具である。
【請求項４】
請求項１、２または３に記載の雑草はさみ引き抜き具であって、対設する上部位板カマボコ型はさみ部、中部位コの字型はさみ部、そして下部位複数Ｌ字型クワ刃はさみ部により構成される雑草はさみ引き抜き具である。
【請求項５】
請求項１、２、３、または４に記載の雑草はさみ引き抜き具であって、一端側の対設したはさみ具にタイコ止め等の枢着部を介して連結された対設する長尺アーチ柄であり、柄の開閉はスプリング等により調節するという構造を有する雑草はさみ引き抜き具である。